(57)【要約】      （修正有）【課題】使用者が自ら新鮮な肌洗浄フォーム原液を製造することを可能にする肌洗浄フォーム簡易製造キットを提供する。【解決手段】肌洗浄フォーム簡易製造キット１０１は、ポンプレバー１０３と、特定容量容器本体１０４と、ポンプ固定部材１０５またはキャップを有するポンプ容器１０２と、肌洗浄パウダーが小分けパッケージングされた密閉容器１０６とを備える。肌洗浄フォームを製造する時、使用者はまず特定容量の容器本体１０４に適量の水を加え、次に密閉容器１０６に含まれる肌洗浄パウダーを取り出して特定容量の容器本体１０４に加えて泡立てることまたは振とうすることにより完全に溶解し、均一な肌洗浄フォーム原液となる。ポンプレバー１０３を押し下げることにより、肌洗浄フォームが調製される。【選択図】図１
0003228717.tif 000002
【実用新案登録請求の範囲】
【請求項１】
密閉容器とともに用いられる皮膚洗浄フォーム簡易製造キットであって、
ポンプレバーと特定容量の容器本体とを有するポンプ容器を備え、
少なくとも前記密封容器は内部に皮膚洗浄パウダーを有する皮膚洗浄フォーム簡易製造キット。
【請求項２】
ポンプ固定部材またはキャップをさらに有する請求項１に記載の皮膚洗浄フォーム簡易製造キット。
【請求項３】
前記容器本体の容量が１０〜２０００ｍｌである請求項１に記載の皮膚洗浄フォーム簡易製造キット。
【請求項４】
前記密封容器が袋、箱、密封可能な缶、カップまたはボトルである請求項１に記載の皮膚洗浄フォーム簡易製造キット。
【請求項５】
前記皮膚洗浄パウダーは袋詰め、箱詰め、カップ詰め、ボトル詰め、缶詰めまたは真空包装を含む包装方法により前記密封容器に封入されている請求項１に記載の皮膚洗浄フォーム簡易製造キット。
【請求項６】
前記密封容器がワンセットとして連続または不連続に組み合わされて包装されている請求項４に記載の皮膚洗浄フォーム簡易製造キット。
【請求項７】
前記皮膚洗浄パウダーは洗顔料、入浴剤またはシャンプーである請求項１に記載の皮膚洗浄フォーム簡易製造キット。
【請求項８】
前記皮膚洗浄パウダーはパウダー状、ロゼンジ状または顆粒状に加工されており、泡立てることまたは振とうすることにより水に溶解することができ、前記皮膚洗浄パウダーと水の割合が（１：１）〜（１：５００）である請求項１に記載の皮膚洗浄フォーム簡易製造キット。
【考案の詳細な説明】
【技術分野】
【０００１】
本考案は一種の肌洗浄フォームを簡単に製造できるキットであり、使用者が自ら新鮮な肌洗浄フォームを作ることができる。
【背景技術】
【０００２】
現在市販されている肌洗浄剤は、要求される機能のほか、製品の剤型も多様であり、液体状、乳液状、油状、パウダー状、フォーム状などがある。
一般の人々には多くの肌トラブルがあり、統計によると、約８割の人にニキビトラブルがある。
ニキビの原因は毛穴や皮脂腺の閉塞であり、さらに炎症反応が起こる。性ホルモンの影響による過剰な皮脂分泌で代謝された皮脂や角質層も、毛穴や皮脂腺の閉塞を引き起こす。適切に肌洗浄できていない場合も皮脂と代謝された角質層を洗いすぎて毛穴や皮脂腺の閉塞を引き起こす可能性がある。そのため、どのように肌を清浄にするかがニキビ形成を回避するのに重要な要素である。
【０００３】
数多くの肌洗浄剤の中には、特殊な機能を有するものが二つある。肌洗浄パウダーと肌洗浄フォームである。肌洗浄パウダーはパウダー状の剤型で、手に取って水と混合し、こすって泡立てることにより泡（フォーム）を生成することができるので、利便性に優れ、携帯にも便利である。
肌洗浄フォームは、肌洗浄フォーム原液をポンプ容器に通して形成されるきめ細かな泡（フォーム）で、使用者は直接フォームを用いて肌を清潔にすることができる。そのため使用するとき、肌にひっかかりにくいので肌を傷つけない。
【０００４】
しかし、現在市販されている肌洗浄剤や肌洗浄フォームの製品数は多いが、それぞれに欠点がある。
例えば、市販品の肌洗浄フォームは通常、大きなパッケージであることが多く、持ち運ぶのが困難であり、しかも使用期間が長いので、有効成分の活性が時間とともに減少し、その製品が本来発揮できる清潔性、肌メンテナンス効果を実現できない事態をもたらしやすい。
一方、ペットボトル入りの肌洗浄パウダーは、湿気によるバクテリア繁殖の懸念があるため、小分けパッケージが市販されているが、そのため価格が高く、消費者に負担となるほか、廃棄物の急激な増加につながるため環境に悪い。また、使用者が自らこすって泡立てる必要がある。パウダーが確実に溶解していない場合は使用者の肌を傷つけやすい。
【考案の概要】
【考案が解決しようとする課題】
【０００５】
本考案は上記のような従来の肌洗浄フォーム製品の不便さを解消することを目的とする。
そのために、本考案の提供する肌洗浄フォーム簡易製造キットは、ポンプ容器と肌洗浄パウダーの密封容器を有し、肌洗浄パウダーと肌洗浄の利点を有する。また、環境に配慮して作られた容器本体と小分け包装設計とすることにより、持ち運びに便利で繰り返し使用できるだけでなく、肌洗浄剤の使用期間も長くならないようにすることができる。また、肌洗浄フォーム原液を調製するとすぐに使用できるため、その有効成分の活性が保存時間が長くなるとともに低下し、洗浄効果やメンテナンス効果に影響する懸念も生じない。
【課題を解決するための手段】
【０００６】
本考案の肌洗浄フォーム簡易製造キットは、密閉容器とともに用いられ、ポンプレバーおよび特定容量の容器本体を有するポンプ容器を備える。ポンプ固定部材またはキャップをさらに有していてもよい。少なくとも前記密封容器は内部に皮膚洗浄パウダーを有する。
【０００７】
そのため、本考案の肌洗浄フォーム簡易製造キットを使用して新鮮な肌洗浄フォームを調製する時、使用者はまず特定容量の容器本体に適量の水を加える。次に密封容器に小分けパッケージングされた肌洗浄パウダーを取り出し、特定容量の容器本体に加える。これを泡立てたり振とうしたりすると、肌洗浄パウダーが完全に溶解して均一な肌洗浄フォーム原液となる。ポンプレバーを押し下げることにより、肌洗浄フォームを調製することができる。
【０００８】
本考案の実施例は、前記肌洗浄剤が充填、注入、封止または真空包装方式により、密封容器を包装する。前記容器は袋、箱、または密封可能な缶、コップ、ボトル等の一般的な包装容器であり、かつ前記密封容器は連続方式の組み合わせ包装を介して包装することができる。前記肌洗浄パウダーは、肌洗浄パウダー、入浴パウダーまたは洗髪パウダーであってもよい。
【０００９】
一実施形態では、容器本体に適量の水を加え、密閉容器に収容されている肌洗浄パウダーを取り出して加え、泡立てることまたは振とうすることにより、均一な肌洗浄フォーム原液として完全に溶解することができ、ポンプレバーを押し下げることによって肌洗浄フォームを調製することができる。加える水の量（ｍｌ）は、加えた肌洗浄パウダーのグラム数に１０倍を乗じた量とすることができる。
【００１０】
一実施形態では、前記肌洗浄剤は肌洗浄パウダーである。
【００１１】
一実施形態では、前記肌洗浄剤はパウダー状の剤型に限らず、圧縮加工され、例えば錠剤または顆粒のような固形状の他の剤形にすることもできる。
【００１２】
一実施形態では、肌洗浄パウダーを水と接触させて混合することにより、発泡作用を有し、水に均一に溶解させるようにすることもできる。
【図面の簡単な説明】
【００１３】
【図１】本考案の肌洗浄フォーム簡易製造キット（第１実施形態）。
【図２】本考案の肌洗浄フォーム簡易製造キット（第２実施形態）のポンプ容器。
【図３】本考案の肌洗浄フォーム簡易製造キット（第３実施形態）のポンプ容器。
【考案を実施するための形態】
【００１４】
本考案を、以下の実施例によってさらに明確に説明するが、これらの例示的実施例は、本考案をさらに説明するためにのみ使用され、本考案の適用範囲を制限するものではない。
【００１５】
（第１実施形態）
図１に示すのは、本考案の肌洗浄フォーム簡易製造キット１０１であり、ポンプ容器１０２を備える。そのうち、前記ポンプ容器１０２は、ポンプレバー１０３および特定容量の容器本体１０４、ポンプ固定部材１０５を有する。および、少なくとも１つの密封容器１０６を含む。
【００１６】
同じく図１を参照する。これは、本考案の組成物（密閉容器に小分けパッケージングされた肌洗浄パウダー）を利用して新鮮に製造したスキンケアフォーム（肌洗浄フォーム）原液を調製する好ましい実施例である。前記組成物キットは肌洗浄パウダーである。肌洗浄フォームを調製する場合、特定容量の容器本体１０４に適量の水を加え、次に密閉容器１０６（小分けパッケージングされた肌洗浄パウダー、図示せず）を取り出して、水の入った特定容量の容器本体１０４に加え、泡立てることまたは振とうすることにより、均一な肌洗浄フォーム原液（図示せず）として完全に溶解することができ、ポンプレバー１０３を押し下げることで肌洗浄フォームが調整される（図示せず）。
【００１７】
一実施形態では、特定容量の容器本体の容量は１０〜２０００ｍｌであってもよい。他の実施例では、本考案の肌洗浄剤は入浴剤である。さらに別の実施形態では、本考案の肌洗浄剤はシャンプーである。いくつかの実施形態では、肌洗浄剤は袋詰め、箱詰め、カップ詰め、ボトル詰め、缶詰め、真空包装などの方法により、密封容器にパッケージングされる。一実施形態では、この密封容器は連続的な方法で包装することもできる。
【００１８】
（第２実施形態）
図２を参照する。第２実施形態では、特定容量の容器本体２０２の容量は少なくとも４０ｍｌの容量の水を収容することができる。また均一な肌洗浄フォーム原液にするために少なくとも４ｍｇの肌洗浄パウダー（図示せず）が加えられる。ポンプ容器２０１はキャップ２０４をさらに含むことができる。
【００１９】
（第３実施形態）
図３を参照する。第３実施形態では、特定容量の容器本体３０２の容量は少なくとも１３０ｍｌの容量の水を収容することができる。また均一な肌洗浄フォーム原液にするために少なくとも１３ｍｇの肌洗浄パウダー（図示せず）が加えられる。ポンプ容器３０１はポンプ固定部材３０４をさらに含むことが出来る。
【符号の説明】
【００２０】
１０１  肌洗浄フォーム簡易製造キット
１０２  ポンプ容器
１０３  ポンプレバー
１０４  特定容量の容器本体
１０５  ポンプ固定部材
１０６  密閉容器
２０１  ポンプ容器
２０２  容器本体
２０３  ポンプレバー
２０４  キャップ
３０１  ポンプ容器
３０２  容器本体
３０３  ポンプレバー
３０４  ポンプ固定部材
【図１】
0003228717.tif 000003
【図２】
0003228717.tif 000004
【図３】
0003228717.tif 000005
【手続補正書】
【提出日】令和2年7月29日(2020.7.29)
【手続補正１】
【補正対象書類名】実用新案登録請求の範囲
【補正対象項目名】全文
【補正方法】変更
【補正の内容】
【実用新案登録請求の範囲】
【請求項１】
密閉容器とともに用いられる皮膚洗浄フォーム簡易製造キットであって、
ポンプレバーと特定容量の容器本体とを有するポンプ容器を備え、
少なくとも前記密閉容器は内部に皮膚洗浄パウダーを有する皮膚洗浄フォーム簡易製造キット。
【請求項２】
ポンプ固定部材またはキャップをさらに有する請求項１に記載の皮膚洗浄フォーム簡易製造キット。
【請求項３】
前記容器本体の容量が１０〜２０００ｍｌである請求項１に記載の皮膚洗浄フォーム簡易製造キット。
【請求項４】
前記密閉容器が袋、箱、密閉可能な缶、カップまたはボトルである請求項１に記載の皮膚洗浄フォーム簡易製造キット。
【請求項５】
前記皮膚洗浄パウダーは袋詰め、箱詰め、カップ詰め、ボトル詰め、缶詰めまたは真空包装を含む包装方法により前記密閉容器に封入されている請求項１に記載の皮膚洗浄フォーム簡易製造キット。
【請求項６】
前記密閉容器がワンセットとして連続または不連続に組み合わされて包装されている請求項４に記載の皮膚洗浄フォーム簡易製造キット。
【請求項７】
前記皮膚洗浄パウダーは洗顔料、入浴剤またはシャンプーである請求項１に記載の皮膚洗浄フォーム簡易製造キット。
【請求項８】
前記皮膚洗浄パウダーはパウダー状、ロゼンジ状または顆粒状に加工されており、泡立てることまたは振とうすることにより水に溶解することができ、前記皮膚洗浄パウダーと水の割合が（１：１）〜（１：５００）である請求項１に記載の皮膚洗浄フォーム簡易製造キット。
【手続補正２】
【補正対象書類名】明細書
【補正対象項目名】０００５
【補正方法】変更
【補正の内容】
【０００５】
本考案は上記のような従来の肌洗浄フォーム製品の不便さを解消することを目的とする。
そのために、本考案の提供する肌洗浄フォーム簡易製造キットは、ポンプ容器と肌洗浄パウダーの密閉容器を有し、肌洗浄パウダーと肌洗浄の利点を有する。また、環境に配慮して作られた容器本体と小分け包装設計とすることにより、持ち運びに便利で繰り返し使用できるだけでなく、肌洗浄剤の使用期間も長くならないようにすることができる。また、肌洗浄フォーム原液を調製するとすぐに使用できるため、その有効成分の活性が保存時間が長くなるとともに低下し、洗浄効果やメンテナンス効果に影響する懸念も生じない。
【手続補正３】
【補正対象書類名】明細書
【補正対象項目名】０００６
【補正方法】変更
【補正の内容】
【０００６】
本考案の肌洗浄フォーム簡易製造キットは、密閉容器とともに用いられ、ポンプレバーおよび特定容量の容器本体を有するポンプ容器を備える。ポンプ固定部材またはキャップをさらに有していてもよい。少なくとも前記密閉容器は内部に皮膚洗浄パウダーを有する。
【手続補正４】
【補正対象書類名】明細書
【補正対象項目名】０００７
【補正方法】変更
【補正の内容】
【０００７】
そのため、本考案の肌洗浄フォーム簡易製造キットを使用して新鮮な肌洗浄フォームを調製する時、使用者はまず特定容量の容器本体に適量の水を加える。次に密閉容器に小分けパッケージングされた肌洗浄パウダーを取り出し、特定容量の容器本体に加える。これを泡立てたり振とうしたりすると、肌洗浄パウダーが完全に溶解して均一な肌洗浄フォーム原液となる。ポンプレバーを押し下げることにより、肌洗浄フォームを調製することができる。
【手続補正５】
【補正対象書類名】明細書
【補正対象項目名】０００８
【補正方法】変更
【補正の内容】
【０００８】
本考案の実施例は、前記肌洗浄剤が充填、注入、封止または真空包装方式により、密閉容器を包装する。前記容器は袋、箱、または密閉可能な缶、コップ、ボトル等の一般的な包装容器であり、かつ前記密閉容器は連続方式の組み合わせ包装を介して包装することができる。前記肌洗浄パウダーは、肌洗浄パウダー、入浴パウダーまたは洗髪パウダーであってもよい。
【手続補正６】
【補正対象書類名】明細書
【補正対象項目名】００１５
【補正方法】変更
【補正の内容】
【００１５】
（第１実施形態）
図１に示すのは、本考案の肌洗浄フォーム簡易製造キット１０１であり、ポンプ容器１０２を備える。そのうち、前記ポンプ容器１０２は、ポンプレバー１０３および特定容量の容器本体１０４、ポンプ固定部材１０５を有する。および、少なくとも１つの密閉容器１０６を含む。
【手続補正７】
【補正対象書類名】明細書
【補正対象項目名】００１７
【補正方法】変更
【補正の内容】
【００１７】
一実施形態では、特定容量の容器本体の容量は１０〜２０００ｍｌであってもよい。他の実施例では、本考案の肌洗浄剤は入浴剤である。さらに別の実施形態では、本考案の肌洗浄剤はシャンプーである。いくつかの実施形態では、肌洗浄剤は袋詰め、箱詰め、カップ詰め、ボトル詰め、缶詰め、真空包装などの方法により、密閉容器にパッケージングされる。一実施形態では、この密閉容器は連続的な方法で包装することもできる。